(57)【要約】【課題】塵芥収集車などの駐車用スペースを確保できなくとも塵芥貯留排出装置が設置できるスペースがあれば、設置が可能で塵芥収集車などへの排出収容も可能な塵芥貯留排出装置を提供する。【解決手段】貯留槽１内に投入口２を通じて塵芥を投入して貯留し、貯留槽１内に設けられた排出装置４により排出口５を通じて排出する塵芥貯留排出装置において、貯留槽１が排出装置４の塵芥排出方向と交差する側方に移動配置自在に設けられている。貯留槽１には、揺動アーム７の一端部が連結され、揺動アーム７の他端部が排出装置４の塵芥排出方向と同じ方向に軸支された水平軸部材８を中心に揺動自在に支持され、揺動アーム７の揺動により貯留槽１が側方に張出し配置自在になされている。【選択図】　図１
2004131191.tif 000002
【特許請求の範囲】
【請求項１】
貯留槽内に投入口を通じて塵芥を投入して貯留し、当該貯留槽内に設けられた排出装置により排出口を通じて排出する塵芥貯留排出装置において、
前記貯留槽が排出装置の塵芥排出方向と交差する側方に移動配置自在に設けられたことを特徴とする塵芥貯留排出装置。
【請求項２】
前記貯留槽には、揺動アームの一端部が連結され、該揺動アームの他端部が前記排出装置の塵芥排出方向と同じ方向に軸支された水平軸部材を中心に揺動自在に支持され、この揺動アームの揺動により貯留槽が側方に張出し配置自在になされたことを特徴とする請求項１記載の塵芥貯留排出装置。
【発明の詳細な説明】
【０００１】
【発明の属する技術分野】
本発明は、塵芥を一旦貯留し、この貯留した塵芥を塵芥収集車などに適宜に排出するための塵芥貯留排出装置に関するものである。
【０００２】
【従来の技術】
従来、この種の塵芥貯留排出装置としては、貯留槽内に投入口を通じて塵芥を投入して貯留し、当該貯留槽内に設けられた排出装置により排出口を通じて塵芥収集車などに排出するものが提供されている。（例えば、特許文献１、特許文献２参照）。そして、貯留槽から塵芥収集車に収容した塵芥を所定の処理場などに運搬している。
【０００３】
【特許文献１】
特公昭５９−４０７２５号公報
【特許文献２】
実公平６−８０９３号公報
【０００４】
【発明が解決しようとする課題】
しかしながら、上記従来の塵芥貯留排出装置では、貯留槽を主体とする装置自体を設置するためのスペースが必要である他、排出口の前方には塵芥収集車に塵芥を排出するために塵芥収集車が駐車できるだけのスペースが必ず必要であった。つまり、塵芥貯留排出装置が設置できるスペースがあっても塵芥収集車の駐車用スペースを確保できない場合には、当該塵芥貯留排出装置を設置することができず、これによりスペース上の制約を受けるという問題があった。
【０００５】
本発明は、上記問題点に鑑みてなされたもので、その目的とするところは、塵芥収集車などの駐車用スペースを確保できなくとも塵芥貯留排出装置が設置できるスペースがあれば、設置が可能で塵芥収集車などへの排出収容も可能な塵芥貯留排出装置を提供することにある。
【０００６】
【課題を解決するための手段】
請求項１に係る発明の塵芥貯留排出装置は、貯留槽内に投入口を通じて塵芥を投入して貯留し、当該貯留槽内に設けられた排出装置により排出口を通じて排出する塵芥貯留排出装置において、前記貯留槽が排出装置の塵芥排出方向と交差する側方に移動配置自在に設けられたものである。
【０００７】
請求項２に係る発明の塵芥貯留排出装置は、前記貯留槽には、揺動アームの一端部が連結され、該揺動アームの他端部が前記排出装置の塵芥排出方向と同じ方向に軸支された水平軸部材を中心に揺動自在に支持され、この揺動アームの揺動により貯留槽が側方に張出し配置自在になされたものである。
【０００８】
【発明の実施の形態】
以下、本発明の実施の形態を図面を参照して説明する。
【０００９】
図１は、本発明の塵芥貯留排出装置の概略構成を示している。
【００１０】
図１において１は、塵芥を貯留する貯留槽であって、この貯留槽１の側面適所には投入口２が形成されており、当該投入口２が開閉蓋３により開閉自在になされている。
【００１１】
貯留槽１の底部には、その長手方向の一端部から他端部にかけて排出装置としての排出スクリュー４が設けられている。排出スクリュー４は、図示しない駆動装置により回転自在に設けられており、この作動により図１において手前側となる貯留槽１の他端部側に形成された排出口５に向かって内部の塵芥を搬送するように構成されている。また、排出口５には排出扉６が開閉自在に設けられている。
【００１２】
従って、塵芥を投入口２から貯留槽１に投入して貯留し、排出スクリュー４を作動させることにより貯留槽１内の塵芥を排出口５を通じて外部に排出するようにしている。
【００１３】
ところで、上述したように貯留槽１を主体として構成された塵芥貯留排出装置は、前後一対の揺動アーム７、７を介して当該貯留槽１の幅方向に揺動自在に支持されている。
【００１４】
具体的には、各揺動アーム７の上端部（他端部）が排出スクリュー４による塵芥の排出方向と同じ方向に配置された水平軸部材８により貯留槽１を挟んで立設された一対の支柱１０、１０に支持されている。そして、各揺動アーム７の下端部（一端部）が貯留槽１の前後部に一体的に連結されている。
【００１５】
このように構成された揺動アーム７は、図示しない駆動装置により前記水平軸部材８を中心にして左右方向に揺動自在に設けられており、この揺動により貯留槽１が支柱１０、１０の側方に張出した状態で配置可能になされている。つまり、貯留槽１が排出スクリュー４による塵芥の排出方向と交差（ここでは直交）する側方に移動配置自在に設けられている。
【００１６】
次に、このように構成された塵芥貯留排出装置による塵芥の貯留排出について説明する。
【００１７】
まず、貯留槽１に塵芥を投入して貯留する場合には、貯留槽１を図１に示すように支柱１０、１０間において垂下した状態に配置する。そして、開閉蓋３を開放することにより塵芥を投入口２から投入し貯留槽１内に貯留する。
【００１８】
このように塵芥を順次投入することにより貯留槽１内に所定量の塵芥が貯留されると、当該貯留槽１内の塵芥を以下のようにして塵芥収集車に排出し、当該塵芥収集車に収容する。
【００１９】
この貯留槽１内からの塵芥の排出は、まず、図１に示す状態から揺動アーム７、７を軸部材８、８を中心に揺動させることにより、貯留槽１を支柱１０、１０間においてこれら支柱１０、１０の側方に張出すように移動させる。
【００２０】
そして、排出口５が塵芥収集車の後部の投入口と対応する所定の高さ位置に配置されると、揺動アーム７、７による貯留槽１の移動を停止させこの状態で貯留槽１を保持する（図２参照）。
【００２１】
続いて、図３に示すように塵芥収集車Ｃの後部の投入口が排出口５と合致するように当該塵芥収集車Ｃを貯留槽１の前方に停止させる。この際、排出口５は排出扉６の開放により開口された状態で塵芥収集車Ｃの投入口と対峙している。
【００２２】
従って、この後に排出スクリュー４を作動させて当該排出スクリュー４により貯留槽１内に貯留された塵芥を排出口５側に搬送することで、塵芥が排出口５から排出されて塵芥収集車Ｃの投入口に投入され、塵芥収集車Ｃの塵芥収容箱Ｃ１内にその後部に設けられた積込装置（図示省略）によって収容される。
【００２３】
このようにして貯留槽１から塵芥収集車Ｃへの塵芥の排出が終了すると、揺動アーム７、７を作動させて貯留槽１を図１に示す元の塵芥を投入する待機状態に配置する。一方、塵芥を収容した塵芥収集車Ｃは所定の処理場までこの塵芥を運搬し、当該処理場において排出して処理する。
【００２４】
このように塵芥貯留排出装置で塵芥を貯留して塵芥収集車Ｃに排出することにより、塵芥収集車Ｃに排出する際にのみ塵芥貯留排出装置の貯留槽１を側方に揺動配置すればよくなる。
【００２５】
従って、貯留槽１の側方に共用スペースなどがある場合には、この共用スペースを有効に利用して塵芥収集車Ｃへ塵芥を排出することができる。これにより塵芥収集車Ｃを駐車する専用スペースが確保できなくても、塵芥貯留排出装置を設置できるだけのスペースがあれば設置が可能となり、設置スペースによる制約を大幅に緩和することができる。また、貯留槽１を側方に張出させることでメンテナンス作業も共用スペースなどを利用して広い場所で容易に行うことができる。
【００２６】
さらに、塵芥収集車Ｃに排出する際にのみ貯留槽１を側方に揺動配置すればよいので、投入待機状態では投入口２の位置を塵芥が投入しやすい低い位置に配置することができ、塵芥の投入作業を容易に行うことができる。
【００２７】
なお、本実施の形態では、揺動アーム７の一端部（下端部）を貯留槽１の前後部に一体的に連結したものについて説明したが、揺動アーム７の一端部（下端部）を貯留槽１の前後部に回動自在に連結してもよい。
【００２８】
また、揺動アーム７の上端部を中心にして貯留槽１を側方に張出すように揺動させるものについて説明したが、揺動アーム７の上端部に貯留槽１を連結し、揺動アーム７の下端部を中心にして側方に張出すように揺動させるようにしてもよい。
【００２９】
さらに、貯留槽１を揺動アーム７を介して支柱１０、１０に支持したものについて述べたが、支柱１０、１０に限らず架台など揺動アーム７を支持するものであればよい。また、建築物の柱や壁柱を利用して揺動アーム７を支持するようにしてもよい。
【００３０】
さらに、貯留槽１内の塵芥を排出スクリュー４によって排出するものについて説明したが、排出装置としては、排出スクリュー４の他、実公平６−８０９３号公報に示すような貯留槽１の回転作用によりその内壁に設けられた螺旋羽根を通じて塵芥を排出するような構成でもよい。
【００３１】
また、貯留槽１を揺動動作でなく、例えばスライド動作により側方に移動配置させるように構成してもよい。
【００３２】
さらに、塵芥貯留排出装置からの塵芥の排出は、塵芥収集車に限らず、他の車輌などであってもよい。
【００３３】
【発明の効果】
以上述べたように、本発明の塵芥貯留排出装置によれば、貯留槽を排出装置の塵芥排出方向と交差する側方に移動配置自在に設けたことで、塵芥収集車などを駐車する専用スペースが確保できなくても、塵芥貯留排出装置を設置できるだけのスペースがあれば共用スペースなどを利用して設置が可能となり、設置スペースによる制約を大幅に緩和することができる。また、貯留槽を側方に移動配置させることで、メンテナンス作業も共用スペースなどを利用して広い場所で容易に行うことができる。
【図面の簡単な説明】
【図１】本発明の塵芥貯留排出装置の概略構成を示す斜視図である。
【図２】塵芥排出時の塵芥貯留排出装置の動作状態を示す斜視図である。
【図３】塵芥収集車に塵芥を排出している状態を示す斜視図である。
【符号の説明】
１　貯留槽
２　投入口
４　排出スクリュー（排出装置）
５　排出口
７　揺動アーム
８　水平軸部材
【図１】
2004131191.tif 000003
【図２】
2004131191.tif 000004
【図３】
2004131191.tif 000005